【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
太陽電池と、
前記太陽電池により発電された電力を蓄える二次電池と、
前記太陽電池により発電された電力、及び、前記二次電池から供給される電力のいずれか一方により駆動され、指針を回転させる駆動機構と、
前記駆動機構を収納する筐体と、
前記駆動機構を制御する制御回路が搭載された回路基板と、
導電性の金属製部材と、を有し、
前記太陽電池は、発電された電力を出力する２つの電池側電極を有し、
前記回路基板は、前記２つの電池側電極にそれぞれ対応する２つの基板側電極を有し、
前記太陽電池及び前記回路基板は、前記筐体を挟んでそれぞれ反対側に配置され、
前記太陽電池及び前記回路基板が配置された前記筐体を前記太陽電池側から見た場合に、前記２つの電池側電極のうち一方の電池側電極と、前記一方の電池側電極に対応する一方の基板側電極とは、平面的に重なり合わない位置に配置され、
前記一方の電池側電極と前記一方の基板側電極とは、前記金属製部材を介して電気的に接続されることを特徴とするムーブメント。
【請求項２】
請求項１に記載のムーブメントにおいて、
前記太陽電池及び前記回路基板が配置された前記筐体を前記太陽電池側から見た場合に、前記２つの電池側電極のうち他方の電池側電極と前記２つの基板側電極のうち前記他方の電池側電極に対応する他方の基板側電極とは、平面的に重なり合う位置に配置され、前記筐体に形成された貫通孔に配置された導電性弾性体を介して電気的に接続されることを特徴とするムーブメント。
【請求項３】
請求項１又は請求項２に記載のムーブメントにおいて、
前記金属製部材は、前記回路基板及び前記二次電池の少なくともいずれかを前記筐体に押圧固定する押さえ部材であることを特徴とするムーブメント。
【請求項４】
請求項１又は請求項２に記載のムーブメントにおいて、
日付を表示する日車を有し、
前記金属製部材は、前記日車を前記筐体に押さえる日車押さえであることを特徴とするムーブメント。
【請求項５】
請求項１から請求項４のいずれかに記載のムーブメントにおいて、
前記金属製部材により接続される電極は、グランド電極であることを特徴とするムーブメント。
【請求項６】
請求項５に記載のムーブメントにおいて、
前記回路基板は、前記二次電池の電池電圧が前記太陽電池の発電電圧より高い場合に、当該太陽電池への電流の逆流を防止する逆流防止装置を備え、
前記逆流防止装置は、前記２つの電池側電極のうち他方の電池側電極と、前記二次電池が有する２つの電極のうち当該他方の電池側電極に対応する電極とを接続する経路上に設けられていることを特徴とするムーブメント。
【請求項７】
請求項１から請求項６のいずれかに記載のムーブメントを有することを特徴とする電子時計。
【手続補正２】
【補正対象書類名】明細書
【補正対象項目名】０００６
【補正方法】変更
【補正の内容】
【０００６】
前記した目的を達成するために、本発明のムーブメントは、太陽電池と、前記太陽電池により発電された電力を蓄える二次電池と、前記太陽電池により発電された電力、及び、前記二次電池から供給される電力のいずれか一方により駆動され、指針を回転させる駆動機構と、前記駆動機構を収納する筐体と、前記駆動機構を制御する制御回路が搭載された回路基板と、導電性の金属製部材と、を有し、前記太陽電池は、発電された電力を出力する２つの電池側電極を有し、前記回路基板は、前記２つの電池側電極にそれぞれ対応する２つの基板側電極を有し、前記太陽電池及び前記回路基板は、前記筐体を挟んでそれぞれ反対側に配置され、前記太陽電池及び前記回路基板が配置された前記筐体を前記太陽電池側から見た場合に、前記２つの電池側電極のうち一方の電池側電極と、前記一方の電池側電極に対応する一方の基板側電極とは、平面的に重なり合わない位置に配置され、前記一方の電池側電極と前記一方の基板側電極とは、前記金属製部材を介して電気的に接続されることを特徴とする。
本発明では、前記太陽電池及び前記回路基板が配置された前記筐体を前記太陽電池側から見た場合に、前記２つの電池側電極のうち他方の電池側電極と前記２つの基板側電極のうち前記他方の電池側電極に対応する他方の基板側電極とは、平面的に重なり合う位置に配置され、前記筐体に形成された貫通孔に配置された導電性弾性体を介して電気的に接続されることが好ましい。
本発明では、前記金属製部材は、前記回路基板及び前記二次電池の少なくともいずれかを前記筐体に押圧固定する押さえ部材であることが好ましい。
本発明では、日付を表示する日車を有し、前記金属製部材は、前記日車を前記筐体に押さえる日車押さえであることが好ましい。
本発明では、前記金属製部材により接続される電極は、グランド電極であることが好ましい。
本発明では、前記回路基板は、前記二次電池の電池電圧が前記太陽電池の発電電圧より高い場合に、当該太陽電池への電流の逆流を防止する逆流防止装置を備え、前記逆流防止装置は、前記２つの電池側電極のうち他方の電池側電極と、前記二次電池が有する２つの電極のうち当該他方の電池側電極に対応する電極とを接続する経路上に設けられていることが好ましい。
また、本発明の電子時計は、前述のムーブメントを有することを特徴とする。
【手続補正３】
【補正対象書類名】明細書
【補正対象項目名】０００７
【補正方法】変更
【補正の内容】
【０００７】
本発明の関連技術に係るムーブメントは、電子時計に用いられ、指針を回転させて時刻を表示するムーブメントであって、入射光により発電する太陽電池と、前記太陽電池により発電された電力により充電される二次電池と、前記太陽電池により発電された電力、及び、前記二次電池から供給される電力の少なくともいずれかにより駆動して、前記指針を回転させる駆動機構と、前記駆動機構を内部に収納する筐体と、前記太陽電池及び前記二次電池と接続される回路基板とを有し、前記太陽電池及び前記回路基板は、前記筐体を挟んでそれぞれ反対側に配置され、前記太陽電池が有する正極及び負極のうち一方の電池側電極と、前記回路基板が有する正極及び負極のうち、当該一方の電池側電極に対応する一方の基板側電極とは、前記筐体を構成する金属製部材を介して電気的に接続されていることを特徴とする。
なお、回路基板としては、回路ブロックを構成し、前記駆動機構を制御する制御回路や発振器が実装される他、電流の導通経路（配線）が形成された回路基板を例示できる。
上記関連技術によれば、太陽電池の正極及び負極のうち一方の電池側電極と、回路基板が有する正極及び負極のうち、当該一方の電池側電極に対応する基板側電極とは、筐体を構成する金属製部材を介して電気的に接続される。これによれば、当該一方の電池側電極及び一方の基板側電極の間を、金属製部材により引き回して接続することが可能となる。このため、前述の圧縮コイルばねを用いる場合のように、筐体を挟んで各電極をそれぞれ対応する位置に配置する必要がない。従って、筐体に対する回路基板の配置自由度を向上できる他、当該回路基板における電極の配置自由度を向上できる。
【手続補正４】
【補正対象書類名】明細書
【補正対象項目名】００１０
【補正方法】変更
【補正の内容】
【００１０】
上記関連技術では、前記太陽電池が有する正極及び負極のうち他方の電池側電極と、前記回路基板が有する正極及び負極のうち、当該他方の電池側電極に対応する他方の基板側電極とを電気的に接続する導電性弾性体を有し、前記筐体は、前記他方の電池側電極及び前記他方の基板側電極に応じた位置に、当該筐体を貫通する孔部を有し、前記導電性弾性体は、前記孔部内に配置されていることが好ましい。
【手続補正５】
【補正対象書類名】明細書
【補正対象項目名】００１１
【補正方法】変更
【補正の内容】
【００１１】
なお、導電性弾性体は、前述の圧縮コイルばねを採用することができる他、板ばねや導電性を有するゴム等を採用することもできる。
上記関連技術によれば、他方の電池側電極と、他方の基板側電極とが、導電性弾性体により接続されるので、これら各電極間の電気的接続を確実に維持できる。従って、太陽電池で生じた電力を回路基板に確実に供給できる。
【手続補正６】
【補正対象書類名】明細書
【補正対象項目名】００１２
【補正方法】変更
【補正の内容】
【００１２】
上記関連技術では、前記金属製部材により接続される電極は、グランド電極であることが好ましい。更に、当該電極は、正極であることが好ましい。
上記関連技術によれば、金属製部材により接続される電極をグランド電極とすることで、当該金属製部材として、筐体を構成する様々な金属性部材を利用できる。従って、前述の一方の電池側電極及び一方の基板側電極の間を当該金属製部材により確実に導通させることができる他、ムーブメントの部品点数の増加を確実に抑制できる。
なお、電子時計の場合には、正極をグランド電極とすることが多いため、前述の金属製部材により接続される電極を正極とすることにより、ムーブメントの構成を変更せずに済む。一方、近年では、前述の制御回路を構成する集積回路（ＩＣ：Integrated Circuit）には負極をグランド電極とするものもあり、このような制御回路が採用される場合には、
負極をグランド電極としてもよい。
【手続補正７】
【補正対象書類名】明細書
【補正対象項目名】００１３
【補正方法】変更
【補正の内容】
【００１３】
上記関連技術では、前記回路基板は、前記二次電池の電池電圧が前記太陽電池の発電電圧より高い場合に、当該太陽電池への電流の逆流を防止する逆流防止装置を備え、前記逆流防止装置は、前記太陽電池が有する正極及び負極のうち他方の電池側電極と、前記二次電池が有する正極及び負極のうち、当該他方の電池側電極に対応する電極とを接続する経路上に設けられていることが好ましい。
上記関連技術によれば、逆流防止装置は、太陽電池と二次電池との間で電流が導通する経路上に設けられるので、太陽電池への電流の逆流を確実に防止できる。従って、ムーブメントの動作の信頼性を向上できる。
【手続補正８】
【補正対象書類名】明細書
【補正対象項目名】００１４
【補正方法】変更
【補正の内容】
【００１４】
上記関連技術では、前記金属製部材は、前記一方の電池側電極及び前記一方の基板側電極のいずれかに押圧状態で接触する弾性部を有することが好ましい。
上記関連技術によれば、金属製部材は、弾性部にて電極に対して押圧状態で接触することができるので、当該金属製部材と、前述の一方の電池側電極及び一方の基板側電極のいずれかの電極との電気的接続状態を確実に維持できる。従って、太陽電池で生じた電力を回路基板に確実に供給できる。
【手続補正９】
【補正対象書類名】明細書
【補正対象項目名】００１５
【補正方法】変更
【補正の内容】
【００１５】
上記関連技術では、前記金属製部材は、前記筐体に前記回路基板及び前記二次電池の少なくともいずれかを押圧固定する押さえ部材であることが好ましい。
上記関連技術によれば、筐体に設けられる押さえ部材を金属製部材として利用することにより、ムーブメントの部品点数の増加を確実に抑制できる。また、このような押さえ部材は、筐体の広範囲を覆うので、筐体における回路基板の配置自由度、及び、当該回路基板における電極の配置自由度を更に向上できる。
【手続補正１０】
【補正対象書類名】明細書
【補正対象項目名】００１６
【補正方法】変更
【補正の内容】
【００１６】
或いは、上記関連技術では、日付を表示する日車を有し、前記金属製部材は、前記日車を前記筐体に押さえる日車押さえであることが好ましい。
上記関連技術によれば、前述の一方の電池側電極及び一方の基板側電極間を接続する金属製部材として、日車を押さえる日車押さえを利用することにより、前述の押さえ部材を採用した場合と同様に、ムーブメントの部品点数の増加を確実に抑制できる。
【手続補正１１】
【補正対象書類名】明細書
【補正対象項目名】００１７
【補正方法】変更
【補正の内容】
【００１７】
また、本発明の関連技術に係る電子時計は、前述のムーブメントを有することを特徴とする。
上記関連技術によれば、前述のムーブメントが奏することができる効果と同様の効果を奏することができ、これにより、電子時計の製造コストを低減できる。